(57)【要約】【課題】従来のテナーガイドは固定されている為、パレットサイズ・荷物により、固定された前記テナーガイドが荷室の有効活用が出来ず、また脱着式テナーガイドの場合、荷室から降ろさなければならず作業効率が悪かった。【解決手段】車輌のキャブ後方に搭載されている箱型荷台１の両側内面並び前側内面に取り付ける可動式テナーガイド１５装置であって、箱型荷台１の上下方向に沿って一対の上下スライドレール２０が配置され、一対の上下スライドレール２０に対して、可動式テナーガイド１５が上下方向に移動し且つ任意の位置に固定できることができる。【選択図】図１
2018144789.tif 000002
【特許請求の範囲】
【請求項１】
車輌のキャブ後方に搭載されている箱型荷台の両側内面並びに前側内面に取り付ける可動式テナーガイド装置であって、前記箱型荷台の上下方向に沿って一対のスライドレールが配置され、前記一対のスライドレールに対して、可動式テナーガイドが上下方向に移動し且つ任意の位置に固定できることを特徴とする可動式テナーガイド装置。
【請求項２】
前記可動式テナーガイドは、前記一対のスライドレールに架設するテナーガイドと、前記テナーガイドを任意の位置に固定できる一対の係止装置と、前記テナーガイドを上下方向に水平状態で移動できる一対のローラーから構成されていることを特徴とする請求項１に記載の可動式テナーガイド装置。
【請求項３】
前記可動式テナーガイドの前記一対のローラーは、前記一対のスライドレールに沿って移動できるよう回転自在に取付られていることを特徴とする請求項２に記載の可動式テナーガイド装置。
【請求項４】
前記可動式テナーガイドは、前記一対の係止装置の両方の操作部を連結させ、前記操作部を同時に解除するための解除手段を設けることを特徴とする請求項２又は請求項３に記載の可動式テナーガイド装置。
【請求項５】
前記可動式テナーガイドは、前記一対のスライドレールに架設するテナーガイドと、前記テナーガイドを任意の位置に固定できる一対の係止装置と、前記テナーガイドを上下移動させる際に片方ずつ移動できるスライダー機構から構成されていることを特徴とする請求項１に記載の可動式テナーガイド装置。
【請求項６】
前記スライダー機構は、前記テナーガイドの両側に一対のスライダーを装着し、前記テナーガイド底面の両側にスライド用溝、いずれか一方または両方にスライド用溝を有し、前記テナーガイドを上下移動させる際に、前記スライダーが移動して間隔を調整することを特徴とする請求項５に記載の可動式テナーガイド装置。
【請求項７】
前記スライダー機構は、前記テナーガイドを中央部で分割して、前記中央部にスライドバー部材を装着し、前記テナーガイドを上下移動させる際に、前記スライドバー部材が移動して間隔を調整することを特徴とする請求項５に記載の可動式テナーガイド装置。
【請求項８】
前記可動式テナーガイドは、前記一対のスライドレールに前記一対の係止装置が上下方向にスライドする係止溝を設け、前記係止溝の上下方向に係止穴が連設されており、前記一対の係止装置の係止部が、板ばねを用いたバネの反力により動き、前記テナーガイドを上下移動させる際に、前記係止部を前記係止穴に係止させ任意の位置に固定することできることを特徴とする請求項２から請求項７に記載の前記可動式テナーガイド装置。
【請求項９】
前記テナーガイドの前記一対の係止装置に振り子機構を設け、前記テナーガイド底面の両側に振り子用溝を有し、前記テナーガイドを上下移動させる際に、前記係止装置が前記振り子用溝に沿って回動することを特徴とする請求項５から請求項８に記載の前記可動式テナーガイド装置。
【発明の詳細な説明】
【技術分野】
【０００１】  本発明は、荷積スペースの有効活用を図った箱型荷台に取り付ける可動式テナーガイド装置に関する。
【背景技術】
【０００２】  従来の箱型荷台でラッシングレールの装着されているものには、テナーガイドが固定（例えば、特許文献１、２参照）、または脱着式となっている。
【先行技術文献】
【特許文献】
【０００３】
【特許文献１】特開２０００−０２５５１５号  公報
【特許文献２】特開２０１２−１０６５５０号  公報
【発明の概要】
【発明が解決しようとする課題】
【０００４】  以上の述べた従来のラッシング付き箱型荷台では、前記テナーガイドが固定されている事、または脱着の必要があることから使用パターンがいくつもある中での使用においては非効率であった。【０００５】  本発明は、このような従来の構成が有していた問題を解決しようとするものであり、前記可動式テナーガイドを使用することにより、固定されているため使用出来ない、または脱着を手作業で行う煩わしさを解消し、容易に使用することを目的とするものである。
【課題を解決するための手段】
【０００６】  そして、本発明は上記目的を解決するために、請求項１に記載の発明は、車輌のキャブ後方に搭載されている箱型荷台の両側内面並びに前側内面に取り付ける可動式テナーガイド装置であって、前記箱型荷台の上下方向に沿って一対のスライドレールが配置され、前記一対のスライドレールに対して、可動式テナーガイドが上下方向に移動し且つ任意の位置に固定できることを特徴とする。【０００７】  また、請求項２に記載の発明は、請求項１に記載の前記可動式テナーガイドが、前記一対のスライドレールに架設するテナーガイドと、前記テナーガイドを任意の位置に固定できる一対の係止装置と、前記テナーガイドを上下方向に水平状態で移動できる一対のローラーから構成されていることを特徴とする。【０００８】  また、請求項３に記載の発明は、請求項２に記載の前記可動式テナーガイドの前記一対のローラーが、前記一対のスライドレールに沿って移動できるよう回転自在に取り付られていることを特徴とする。これにより、左右を同時に移動させることができ、上下動操作が容易となる。【０００９】  また、請求項４に記載の発明は、請求項２又は請求項３に記載の前記可動式テナーガイドが、前記一対の係止装置の両方の操作部を連結させ、前記操作部を同時に解除するための解除手段を設けることを特徴とする。【００１０】  また、請求項５に記載の発明は、請求項１に記載の前記可動式テナーガイドが、前記一対のスライドレールに架設するテナーガイドと、前記テナーガイドを任意の位置に固定できる一対の係止装置と、前記テナーガイドを上下移動させる際に片方ずつ移動できるスライダー機構から構成されていることを特徴とする。【００１１】  また、請求項６に記載の発明は、請求項５に記載の前記スライダー機構が、前記テナーガイドの両側に一対のスライダーを装着し、前記テナーガイド底面の両側にスライド用溝、いずれか一方または両方にスライド用溝を有し、前記テナーガイドを上下移動させる際に、間隔を調整することを特徴とする。これにより、左右同時に水平移動させた状態より自重が半減し、軽く操作出来るようになる。【００１２】  また、請求項７に記載の発明は、請求項５に記載の前記スライダー機構が、前記テナーガイドを中央部で分割して、前記中央部にスライドバー部材を装着し、前記テナーガイドを上下移動させる際に、前記スライドバー部材が移動して間隔を調整することを特徴とする。【００１３】  また、請求項８に記載の発明は、請求項２から請求項７に記載の前記可動式テナーガイドが、前記一対のスライドレールに前記一対の係止装置が上下方向にスライドする係止溝を設け、前記係止溝の上下方向に係止穴が連設されており、前記一対の係止装置の係止部が、板ばねを用いたバネの反力により動き、前記テナーガイドを上下に移動させ、前記係止部を前記係止穴に係止させ任意の位置に固定することできることを特徴とする。【００１４】  また、請求項９に記載の発明は、請求項５から請求項８に記載の前記テナーガイドの前記一対の係止装置に振り子機構を設け、前記テナーガイド底面の両側に振り子用溝を有し、前記テナーガイドを上下移動させる際に、前記係止装置が前記振り子用溝に沿って回動することを特徴とする。これにより、有効に使えない無駄な空間を最小限に抑え、無駄な空間を有効活用ができる。
【発明の効果】
【００１５】  本発明によれば、荷室の後方が開閉する箱型荷台の両側内面並びに前側内面に取付けた可動式テナーガイドが上下方向に移動することにより、荷台空間を有効活用することで、作業効率を向上させることが出来る。またローラーを備えた場合には水平状態に移動でき、もしくはスライダー機構を備えた場合には片方ずつ移動できることにより操作が容易になる。
【図面の簡単な説明】
【００１６】
【図１】  本発明の一実施形態の荷室を斜め後方上部からの斜視図である。
【図２】  荷室を後方からの正面図である。
【図３】  スライドレールの正面図である。
【図４】  スライドレールに可動式テナーガイドを設置した側面図である。
【図５】  ローラー組み付けた可動式テナーガイドの構成図である。
【図６】  （ａ）スライドレールに可動式テナーガイドを設置した正面図である。（ｂ）スライドレールに可動式テナーガイドを設置した平面図である。
【図７】  可動式テナーガイドの係止装置を同時に解除させる図である。
【図８】  振り子機構を組み付けた可動式テナーガイドの構成図である。
【図９】  テナーガイドの底面に溝を設けた図である。
【図１０】  振り子機構の詳細図である。
【図１１】  分割型可動式テナーガイド機構を示す図である。
【図１２】  振り子機構を組み付けた可動式テナーガイドの操作方法を示す図である。
【発明を実施するための形態】
【００１７】  以下、本発明の実施の形態を図１〜１２に基づいて説明する。なお、各図において、ＦＲは車輌の前方を、ＩＮは車幅方向の内側を、ＵＰは上方をそれぞれ示す。また、以下の説明において、左右方向は車輌前方を向いた状態での左右方向を意味する。
【００１８】  図１及び図２に示すように車輌のキャブの後方には、箱型荷台１が搭載されている。箱型荷台１は前後で対向して規律する前パネル２及び荷室開閉扉３と、左右で対向して起立する１対の側パネル４、５と、上方の天井パネル６と、下方の床パネル７とによって箱状に形成されている。各面体は、隣接する他の４つの面体と略直角に交又し、これらの面体によって荷室８が区画されている。
【００１９】  床パネル７の上面は、荷物が積載される床面９を形成する。箱型荷台１の前後には、枠部材１１、１２がそれぞれ立設され、箱型荷台１の左右の上辺部分には、前後の延びる梁部材１３、１４が前後の枠部材１１、１２間にそれぞれ架設されている。前パネル２は、前側の枠部材１１に固定されて荷室８の後方を開閉する。側パネル４、５及び天井パネル６の周縁部は、枠部材１１、１２及び梁部材１３、１４にそれぞれ固定されている。
【００２０】  図１に示すように、左右の側パネル４、５の各内面には、１本の可動式テナーガイド１５に対して、一対のスライドレール２０を、上下方向に固定し、ラッシングレール１６、１７も２本ずつ固定されている。これが側パネル４、５の内面に４組ずつ設置されている。前パネル２の内面にも１本の可動式テナーガイド１５に対し、一対のスライドレール２０を、上下方向に固定されている。なお、可動式テナーガイドの数量数は図示する内容に限定されず、適意変更できる。
【００２１】  図２に示すように、可動式テナーガイド１５が、上下方向に固定された一対のスライドレール２０に対して、図示するＬの範囲で上端から下端の間を上下移動できる。
【００２２】  図３に示すように、スライドレール２０は、後述する係止装置２３が上下方向に移動できる係止溝２７と、任意の位置で係止することができる係止穴２８が連設されている。
【００２３】  図４に示すように、可動式テナーガイド１５を矢印のように上下方向に移動させることができる。
図４（ａ）は、可動式テナーガイド１５を下げる場合、係止装置２３に設けられた、操作部２９を矢印方向に引くと係止部２５が、一対のスライドレール２０に設けられた係止穴２８から外れロックは解除され下げることができ、操作を停止すると、板ばね３０を用いたばねの反力により係止部２５が係止穴２８に入り、可動式テナーガイド１５を任意の位置に固定することができる。
図４（ｂ）は、可動式テナーガイド１５を上げる場合、板ばね３０を用いたばねの反力により係止部２５先端が斜め形状になっており、係止穴２８をスライドながら上昇していくが、係止部２５は、板ばね３０を用いたばねの反力により係止穴２８に入り、可動式テナーガイド１５を任意の位置に固定することできる。
【００２４】  図５に示すように、可動式テナーガイド１５の構成は、テナーガイド２２と、両側に設けられた係止装置２３にローラー２４を設けている。係止装置２３本体に設けた突出レール２６を、一対のスライドレール２０の係止溝２７に挿入することで、可動式テナーガイド１５を上下移動させることができる。
【００２５】  図６に、図４を正面から視た図であり、図６（ａ）は、可動式テナーガイド１５が、一対のスライドレール２０の係止溝２７に挿入されており、可動式テナーガイドに設けられた係止装置２３にローラー２４が、一対のスライドレール２０に沿って回転し、上下移動することができる。
図６（ｂ）に示すように、一対のスライドレール２０の係止溝２７に係止装置２３に設けた突出レール２６が上下方向に移動するよう挿入されている。
【００２６】  図７は、可動式テナーガイド１５に、ローラー２４を設けており、左右同時に上下移動する為、左右に設けられた係止装置２３の操作部２９を同時に動かすことができ、下方に移動させる場合、ロック解除操作が容易にできる。
図７（ａ）は、左右に設けられた係止装置２３の操作部２９を連動するよう係止装置ロック解除バー３１を設け、係止装置ロック解除バー３１を手前に引くことで同時に解除させることができる。
図７（ｂ）は、左右に設けられた係止装置２３の操作部２９を連動するよう係止装置ロック解除レバー３２を設け、係止装置ロック解除レバー３２に内蔵されたロッドを連結し、係止装置ロック解除レバー３２を矢印のように回転させて同時に解除させることができる。
上記説明より、上方に任意の位置へ移動させる時は、係止部２５を、スライドさせながら移動し、下方に移動させる場合は操作部２９を、手動で解除させながら任意の位置に止めることが可能となる。
【００２７】  図８は、テナーガイド２２に、振り子機構付き係止装置３４とスライドバーＡ３３で構成されたスライダー機構３５を両端に設けることにより、上下移動させる際に、振り子機構付き係止装置３４が矢印のよう左右に振ることができ、片方ずつ移動できる可動式テナーガイド１５が構成され、任意の位置に固定できるようになる。
【００２８】  図９は、図８で示すスライドバーＡ３３がテナーガイド２２の中を左右方向に移動させるため、テナーガイド２２の底面の一方にスライド用溝３６ａと他方に振り子用溝３６ｂを設ける。
図示するようにスライド用溝３６ａと振り子用溝３６ｂをいずれか一方または両方に設けることによって、固定された一対のスライドレール２０に対し、一対の係止装置２３間の幅を調整することができる。
また、スライド用溝３６ａは両方に設けても良く、スライド用溝３６ａは振り子用溝３６ｂを兼ねている。
【００２９】  図１０は、図８の振り子機構を示しており、スライドバーＡ３３部材に振り子機構付き係止装置３４をピン３８で前記スライダー３３に取付することで矢印のよう左右に振ることができるスライダー機構３５を構成している。
【００３０】  図１１は、図８で示した可動式テナーガイド１５の、構造を変更したものであり、スライダー機構３５を左右固定し、テナーガイド２２を、分割し、中央部にスライドバーＢ３７部材を挿入し、そのスライドバーＢ３７部材の片側を固定し、中央部にスライドする構造をもたせることができ、分割されたテナーガイド２２が矢印で示すよう左右に延び縮みする可動式テナーガイド１５ができる。
【００３１】  図１２は、可動式テナーガイド１５が、▲１▼〜▲３▼まで移動させる手順を説明する。
▲１▼は、可動式テナーガイド１５が、任意の使用する位置で止めた状態である。
▲２▼は、図示するように片方を持ち上げ、その反対側を次に持ち上げる。
▲３▼は、▲１▼の位置から▲２▼の手順を行い、移動させることが出来る。
逆に、▲３▼の位置から▲１▼の位置に下げる場合は、図４（ａ）に示す係止部２５を、矢印のよう移動させるとロックは解除させながら任意の位置にて止めることが可能である。
又、いま述べた動きをするためには、一対の上下スライドレール２０は幅が固定されているため、片方ずつ移動させると、Ｗ１とＷ２の間隔が変わるが、図８で示すスライドバーＡ３３に、振り子機構付き係止装置３４を組み込んだスライダー機構３５が矢印のように振り子機構付き係止装置３４が振れ、図９で示すテナーガイド２２に、スライド用溝３６ａと、振り子用溝３６ｂを設けることで、矢印に示すよう幅を調整できる。
【符号の説明】
【００２８】  １  箱型荷台
２  前パネル
３  荷室開閉扉
４、５  側パネル
６  天井パネル
７  床パネル
８  荷室
９  床面
１１  前側枠部材
１２  後側枠部材
１３、１４  梁部材
１５  可動式テナーガイド
１６、１７  ラッシングレール
２０  スライドレール
２１  テナー台車
２２  テナーガイド
２３  係止装置
２４  ローラー
２５  係止部
２６  突出レール
２７  係止溝
２８  係止穴
２９  操作部
３０  板ばね
３１  係止装置ロック解除バー
３２  係止装置ロック解除レバー
３３  スライドバーＡ
３４  振り子機構付き係止装置
３５  スライダー機構
３６ａ  スライド用溝
３６ｂ  振り子用溝
３７  スライドバーＢ
３８  ピン
【図１】
2018144789.tif 000003
【図２】
2018144789.tif 000004
【図３】
2018144789.tif 000005
【図４】
2018144789.tif 000006
【図５】
2018144789.tif 000007
【図６】
2018144789.tif 000008
【図７】
2018144789.tif 000009
【図８】
2018144789.tif 000010
【図９】
2018144789.tif 000011
【図１０】
2018144789.tif 000012
【図１１】
2018144789.tif 000013
【図１２】
2018144789.tif 000014